(57)【要約】本発明はメンズショーツに関するものである。男性は下半身(生殖器)を体温よりやや低く、涼しく保ったほうが良いという話は外国の大学から出された科学に基づく論文からも証明されている。即ち、男性(生殖器)の精子の生産能力は体温より2〜4℃低い環境にあったほうが高いということを意味する。しかし、そのような科学的裏づけにもかかわらず、今までのメンズショーツは女性用ショーツと差別化されず、外部と遮断された単純な形のものが製造・着用されてきた。本発明は従来のメンズショーツとは異なる新しい21世紀型のメンズショーツで、一番目: 湿疹など、肌の健康と体温による影響を避けるため、男性の生殖器(睾丸)の部分とそけい部(太もも)を隔離すると同時に、二番目: 男性の生殖器(睾丸)の部分に最低3ヶ所の方向に風通し用の通気口を設けて男性の生殖器部分を涼しく維持できるようにすることで、(化学薬品を服用しなくても)生殖能力を自然と向上させる、以上２つの目的を同時に解決するために発明された、肌の健康と生殖能力の向上に衛生かつ健康な影響を与える21世紀型メンズショーツである。要するに、1) 男性のそけい部と陰嚢(いんのう)の間によく発生する湿疹などの皮膚病を予防し、体温による影響を避けるために生殖器とボディ(太もも)部分を隔離させるとともに、2) 生殖器部分には通気と換気を確保して最低3ヶ所の方向に通気口を設けてより衛生的で涼しい環境が保てるよう、男性の生殖能力の向上にも良い影響を与えるように発明された新しい21世紀型のメンズショーツである。
2015520812.tif 000002
【特許請求の範囲】
【請求項１】
男性用下着(ショーツ)におけるショーツ製作時に、男性の生殖器が着用者のボディと隔離されるよう前面に二重空間を設けるとともに、ショーツの前開きの下部からそけい部に至る部分に通気のためのある形の通気口、または開きを設けて製作されたメンズショーツ。
【発明の詳細な説明】
【技術分野】
【０００１】
本発明は従来のメンズショーツと異なる新しい21世紀型のメンズショーツに関するもので、一番目: 湿疹などの皮膚病を最小限に抑える、つまり肌の健康のために男性の生殖器(陰茎+陰嚢)とボディ(そけい部)を隔離させるとともに、二番目: 男性の生殖器とそけい部の間に風通し用の通気口を設けて男性の生殖器部分を着用者のボディ(体温)より涼しく維持できるようにすることで男性の生殖能力の向上を図る、という2つの目的を同時に解決するために発明された、衛生と健康を考えた21世紀型メンズショーツである。
【背景技術】
【０００２】
本発明は女性の体と明確に違う男性向けのショーツに関するもので、詳しくは生殖器(陰茎+陰嚢)とボディ(そけい部)の直接的な接触と摩擦を防ぐために隔離させることにより常時快適な状態を維持し、同時に男性の生殖器をより涼しく維持できるように製作されたショーツ(下着)である。
【発明の概要】
【０００３】
技術的課題
メンズショーツは女性用ショーツと違い、突出した生殖器の部分に合うよう男性の体質と特性に合わせて男性(生殖器)の部分をボディ(太もも)の部分と隔離させるとともに、通気性を考慮して男性(生殖器)を快適かつ涼しく 維持できるようにすることが重要だが、今までは女性用ショーツと同様に通気口のない密閉された一体型に製作・着用されてきた。
【０００４】
課題を解決するための手段
本発明は上記の[技術分野]で述べたように従来のメンズショーツの問題点を解決するため、一番目: メンズショーツの生殖器部分をボディ(太もも: そけい部)と隔離させ、二番目: (同時に)通気のための通気口を設けて製作することにより、従来のショーツが持つ上記2つの問題点を同時に解決することが目的である。
【０００５】
発明の効果
本発明のメンズショーツを着用時、１．生殖器とそけい部が隔離され、皮膚病を事前に予防する効果はもちろん、２．通気口による換気で快適かつ涼しい環境で男性(生殖器)が維持できるため、既に科学的に証明(生殖器は体温より2〜4℃くらい低く維持したほうが良い)された、男性の生殖能力の向上に役立つ健康をも考えた新しい21世紀型メンズショーツである。
【０００６】
以下、添付図面を参考に実施例を説明する。
本発明の21世紀型メンズショーツは、一番目: 生殖器が位置するショーツの前面には生殖器とボディ(そけい部)を隔離する区切られた二重空間を設け、二番目: 前開きの下部(下)からそけい部に至る空間に最低３ヶ所の風通し用の通気口を設けて製作した21世紀型メンズショーツである。
【０００７】
<*但し、ショーツの前面(ボディ側の生地)は男性の生殖器をボディと隔離させるために必要な生地のサイズを最小限にし、下部の通気口も、二重生地が通気の邪魔にならないよう最適化されたデザインを選んで添付図面のように完成した。>
【図面の簡単な説明】
【０００８】
【図１】図１は、本発明21世紀型メンズショーツの完成品の状態を表した、第１の実施例としての"完成品の正面-断面図"で、生殖器とボディを隔離させるためにショーツの前の部分の前面生地は背面生地と腰部分の下の両側からそれぞれのボタン(Button)につなげ、前開きの下部には３ヶ所の通気口(下部: １．と、両側に位置する２．・３．)を設けて完成したものを表した(１)-実施例である。
【０００９】
【図２】図２は、上記`図1'で隠されたメンズショーツの前側の前面生地と背面生地を分離した場合、その開いた状態を表した(1)-実施例で、ショーツの腰部分の下部の両側のボタン(BとB')をそれぞれのボタンホール(BhとBh')から分離させることで、一番目: ショーツを着用した場合; 背面生地の前開き("H1")と前面生地の前開き("H2")の間の中央に位置する状態の男性の生殖器(陰茎+睾丸)が確認でき、従って生殖器が着用者のボディ(そけい部)と隔離されることが確認でき、二番目: 同時にショーツを着用した場合; 上記で説明したように、３ヶ所の通気口(下部: １．と、両側に位置する: ２．, ３．)が設けてある状態と効果が一致していることが確認でき、本発明の21世紀型メンズショーツの２つの発明の効果を具体的に確認できるようにした説明用分解図の(１)-実施例である。
【００１０】
一方、本発明の21世紀型メンズショーツの背面生地と前面生地の形を別のデザインに変えたり、上記実施例の三角形のショーツとは別の四角形(トランクス)のショーツに変えることもできる。あるいは前開き部分の下部からボディ(そけい部)の間の通気、または通気口の役割をする部分を脱着式にしたり、通気口の形を変形(三角形、四角形、円形、または楕円形など)して製作することも可能で、これらの`第２、または第３の実施例'でもって様々な方法と形の完成品を製作することも可能であるが、それに対するそれぞれの説明と関連図面の実施例は省略した。
【００１１】
発明を実施するための最良の形態
以下、添付図面を参考に本発明に基づく正しい実施例として、上記項目の"図面の簡単な説明の(1)-実施例"を参考にすることを提案する。
【００１２】
発明を実施するための形態
上記項目:"発明を実施するための最良の形態"を参考。
【００１３】
産業上の利用可能性
男性がショーツというものを着用してきて以来、変わっていない従来の密閉(一体)型のショーツの代わりとなれる本発明の新しいメンズショーツは、男性により健康で衛生的かつ快適な環境を与えることはもちろん、男性の根底といえる生殖能力の向上に有効な21世紀型メンズショーツで、みんなの注目を集める新製品として健康な男性なら誰もが選ぶに違いない。
【図１】
2015520812.tif 000003
【図２】
2015520812.tif 000004
【国際調査報告】
2015520812.tif 000005
2015520812.tif 000006
2015520812.tif 000007
2015520812.tif 000008